(57)【要約】      （修正有）【課題】洋式便器の周囲に小便の飛沫が飛散するのを防止する飛散防止用ペーパーを提供する。【解決手段】洋式便器内の溜まり水に浮かせるペーパー１０であって、水溶性の積層したペーパーの間に水の添加によって発泡する粉末状の発泡剤１１を挟み込む。発泡剤としては、炭酸塩、硫酸塩、有機酸等の粉末を使用する。これにより、飛散防止用ペーパーを洋式便器内の溜まり水に広げて被せると、ペーパーが水に濡れると同時に発泡剤が水と反応して発泡し、濡れたペーパーが膨れ上がってバブルのマットが形成される。そこに小便をしても、小便による衝撃は、膨れ上がったマット状ペーパーに吸収されるから、飛沫が便器の外に飛び出ることはない。【選択図】図１
0003197945.tif 000002
【実用新案登録請求の範囲】
【請求項１】
洋式便器内の溜まり水に浮かせるペーパーであって、水溶性の積層したペーパーの間に水の添加によって発泡する粉末状の発泡剤を挟み込んだことを特徴とする飛散防止用ペーパー。
【請求項２】
前記発泡剤が、炭酸塩、硫酸塩、有機酸等の粉末である請求項１に記載の飛散防止用ペーパー。
【請求項３】
前記ペーパーが、洋式便器の溜まり水の水面形状と相似形である請求項１に記載の飛散防止用ペーパー。
【請求項４】
前記飛散防止用ペーパーが、上蓋を備えたボックス内に積層状態で収納され、前記上蓋を開放すれば、前記飛散防止用ペーパーが一枚ずつ取り出し可能となっている請求項１に記載の飛散防止用ペーパー。
【考案の詳細な説明】
【技術分野】
【０００１】  本考案は、洋式便器の周囲に小便の飛沫が飛散するのを防止する防止用ペーパーに関する。
【背景技術】
【０００２】  洋式便器で男子が小便するとき、立ったまま小便すると、便器やその周囲の床等に小便の飛沫が飛散する問題がある。この問題を解決するため、例えば、下記特許文献に記載のものが提案されている。
【先行技術文献】
【特許文献】
【０００３】
【特許文献１】特開２０１４−１６９５３８号公報
【特許文献２】特開２００４−０６０２１５号公報
【考案の概要】
【考案が解決しようとする課題】
【０００４】  特許文献１の発明は、洋式便器の溜まり水表面に発泡液を散布するものである。この発泡液は、噴射の際にノズル先端部で発泡させるため、発泡液自体が広く拡散しない問題がある。そのため、水面に広く散布するには、発泡液を繰り返し散布しなければならない煩わしさがある。【０００５】  特許文献２の発明は、溜まり水内にバブル発生装置を沈めて水面にバブルを浮かせるものである。この装置では、バブル自体が溜まり水であるため、バブルが水面に到達すると、直ちに消失してしまう問題がある。
この考案は、こうした問題を解決して、洋式便器の周囲に小便の飛沫が飛散するのを防止する新たな飛散防止用ペーパーを提供することを課題とする。
【課題を解決するための手段】
【０００６】  本考案の飛散防止用ペーパーは、洋式便器内の溜まり水に浮かせるペーパーであって、水溶性の積層したペーパーの間に水の添加によって発泡する粉末状の発泡剤を挟み込んだ構造である。【０００７】  このペーパーは、溜まり水を覆う大きさの、厚手の水溶性ペーパーで形成されている。その形状は、例えば、溜まり水の水面形状に合わせて、円形や楕円形とするのが良い。その大きさは、溜まり水の水面より多少小さくても良いが、水に漬けても、直ちに分解しない程度の厚みのあるペーパーとしておく。
発泡剤としては、例えば、炭酸塩、硫酸塩、有機酸等の粉末を使用する。これらは、水に漬けると、直ちに発泡する。これらの発泡剤は、洋式トイレや排水パイプ内をバブルで洗浄するものとして市販されているものであるから、便器や排水パイプを腐食させることはない。【０００８】  また、この発泡剤に粘性付与剤、例えば、ポリアクリル酸ナトリウム等を添加しておくと、発泡したバブルを消失させずに、バブルを長持ちさせる効果がある。また、このペーパーを紙製のボックス内に積層状態で収納し、使用に際しては、ペーパーをボックスから一枚ずつ取り出して使用する。こうすれば、ティッシュを取り出す感覚で使用することができる。【０００９】  使用に際しては、まず、この飛散防止用ペーパーを洋式便器内の溜まり水に広げて被せる。すると、ペーパーが水に濡れると同時に発泡剤が水と反応して発泡し、濡れたペーパーが膨れ上がり、バブルのマットが形成される。そこに向けて小便すると、小便は、膨れ上がったマット状ペーパーを突き破って溜まり水内に入るが、溜まり水の水面は、膨れ上がったペーパーで覆われているため、小便の飛沫は、便器から外に飛び出すことはない。しかも、マット状に膨れたペーパーの表面に直接小便が落下しても、濡れたマット状のペーパーと、その内部の泡が、落下する小便の衝撃を緩和させるから、そこに当たった小便の飛沫は、殆ど飛散することなく、便器内に留まる。
【考案の効果】
【００１０】  本考案によれば、積層したペーパー間に粉末状の発泡剤を挟み込み、便器内の溜まり水に浮かせるだけで、溜まり水表面にバブルのマットを形成するから、そこに小便が勢いよく当たっても、飛沫が便器外へ飛び出ることはない。しかも、液状の発泡剤を散布するよりも簡単に溜まり水をバウル状のペーパーで覆うことができるから、時間も取らず、使い勝手の良い飛散防止用具とすることができる。
【図面の簡単な説明】
【００１１】
【図１】飛散防止用ペーパーの外観とその一部破断面を示す。
【図２】ボックス内に飛散防止用ペーパーを収納した状態の外観斜視図。
【考案を実施するための形態】
【００１２】  以下、本考案の一実施形態を、図面を参照しながら説明する。
【実施例】
【００１３】  図１、図２において、飛散防止用ペーパー１は、積層された厚手のペーパー１０と、積層されたペーパー１０間に挟み込まれた粉末状の発泡剤１１とで構成される。【００１４】  ペーパー１０は、水溶性のトイレットペーパーを用い、それを、水に漬けても直ちには、分解しない程度の厚みに積層して水溶性糊で接着している。その外形は、洋式便器の溜まり水の大きさに対応させて、円形や楕円形に形成する。【００１５】  発泡剤１１は、例えば、炭酸塩、硫酸塩、有機酸等の粉末で、それを積層したペーパー１０の間に適当量挟み込む。また、挟み込まれた発泡剤１１が位置ずれを起こさないようにするために、積層したペーパー１０を将棋盤のように升目状に接着すると良い。これにより、洋式便器内の溜まり水にペーパー１０を浮かせたときに、ペーパー１０全面を発泡剤１１でもって均等に膨らませることができる。【００１６】  図２は、こうして形成した飛散防止用ペーパー１を複数枚積み重ねた状態で紙製ボックス２０内に収納した状態を示す。紙製ボックス２０は、収納した飛散防止用ペーパー１の形状に応じて、平面視が円形、楕円形の箱としているが、形状は、直方体であっても良い。また、ボックス２０の上部に設けた上蓋２１を開放すれば、飛散防止用ペーパー１が一枚ずつ取り出せるようになっている。【００１７】  使用に際しては、紙製ボックス２０から防止用ペーパー１を一枚ずつ取り出し、それを洋式便器の溜まり水に浮かべる。すると、ペーパー１０が水に濡れると、内部の発泡剤が発泡し、飛散防止用ペーパー１全体がバブルで膨らむ。そこに小便をすると、バブルで膨らんだマットが小便の落下による衝撃を吸収し、また、ペーパー１を突き破って溜まり水に小便が届いても、その周りをマット状ペーパーが覆っているから、飛沫が便器外へ飛び出ることはない。
【符号の説明】
【００１８】  １    飛散防止用ペーパー
１０    ペーパー
１１    発泡剤
２０    ボックス
２１    上蓋
【図１】
0003197945.tif 000003
【図２】
0003197945.tif 000004